(57)【要約】      （修正有）【課題】室内空間に堆積するホコリを捕集する、そうじ運転機能を備えた空気清浄機において、捕集したホコリの集塵量を計算し、表示することで、そうじ運転機能の効果をユーザに可視化できる空気清浄機を提供する。【解決手段】本体に制御部を備え、制御部は運転中の室内の空気の汚れを検出する汚れ検出手段１０と、汚れ検出手段１０からの検出信号をもとにそうじモード運転時に処理した汚れ除去量を算出する演算部１１と、そうじモードで運転した時間と、演算部１１で算出した汚れ除去量を記憶させる記憶部１２と、記憶部１２で記憶されたそうじモードの運転時間と汚れ除去量を表示する表示部１３とを備えた構成にしたことにより、ユーザにそうじモードの効果を提示することができる空気清浄機が得られる。【選択図】図４
2015025572.tif 000002
【特許請求の範囲】
【請求項１】
本体に吹出口、吸込口を設け、前記本体内に、空気清浄部と送風部とを設けた空気清浄機において、
室内の人の有無を判定する在室判定手段と、
この在室判定手段が人の不在を判断した場合に前記送風部を所定時間運転させるそうじモードを有する制御部をさらに設け、
前記制御部は、前記そうじモードによる運転結果を記憶する記憶部と、
この記憶部に記憶した内容を表示する表示部を有する空気清浄機。
【請求項２】
前記記憶部には、前記そうじモードで運転した時間を記憶させ、
前記表示部には、前記そうじモードで運転した時間を表示させる請求項１記載の空気清浄機。
【請求項３】
前記制御部には、室内の空気の汚れを検出する汚れ検出手段と、
この汚れ検出手段からの検出信号をもとにそうじモード運転時に処理した汚れ除去量を算出する演算部とをさらに備え、
前記表示部には前記演算部で算出された汚れ除去量を表示する請求項１記載の空気清浄機。
【請求項４】
前記表示部は、前記在室判定手段が人の在室を検出したときに汚れ除去量を表示する請求項１〜３いずれかひとつに記載の空気清浄機。
【請求項５】
前記表示部は、在室判断手段が人の在室を検出してから所定時間、汚れ除去量を表示する請求項４記載の空気清浄機。
【発明の詳細な説明】
【技術分野】
【０００１】
本発明は、一般家庭や事務所等で使用される空気清浄機に関するものである。
【背景技術】
【０００２】
従来、室内のホコリを掃除する方法として、浮遊中のホコリが床面に沈降してから掃除を行い、効率よく掃除した効果を発揮する自走式掃除機（例えば特許文献１参照）や、人が不在の間に室内空間に浮遊する粉塵粒子が徐々に降下・沈降し始める変化を検出し、粉塵粒子を集塵するそうじモード運転を行うことで、ホコリが床面に堆積する前に捕集する空気清浄機などがある。
【０００３】
従来の自走式掃除機や空気清浄機では運転の効果を示す手段として、ホコリなどを検知したときにユーザに検知状態をＬＥＤなどで報知する手段を有するものが知られている。
【先行技術文献】
【特許文献】
【０００４】
【特許文献１】特開２００６−２１８００５号公報
【発明の概要】
【発明が解決しようとする課題】
【０００５】
しかしながら上記のような従来の方法では、運転中の部屋の状態や機器自体の検知状態をユーザが把握することはできるが、運転による効果を知ることはできなかった。そのため、ユーザが不在の間に使用されることが多い自走式掃除機やそうじモードを搭載した空気清浄機では、運転によって集塵したホコリの量が分からず、部屋が汚れているのかどうかの判断がつかず、追加で掃除をする必要があるのかを判断できないという課題があった。
【０００６】
そこで、本発明は、このような従来の課題を解決するものであり、そうじモードの運転時間やホコリの集塵量を計算し表示することで、ユーザの手を煩わすことなくそうじモードの効果をユーザに確認可能とし、部屋の汚れ具合を認識させ、追加で掃除をする必要があるのかの判断基準を提供することを目的とする。
【課題を解決するための手段】
【０００７】
そして、この目的を達成するために、本発明は、本体に吹出口、吸込口を設け、前記本体内に、空気清浄部と送風部とを設けた空気清浄機において、室内の人の有無を判定する在室判定手段と、この在室判定手段が人の不在を判断した場合に前記送風部を所定時間運転させるそうじモードを有する制御部をさらに設け、前記制御部は、前記そうじモードによる運転結果を記憶する記憶部と、この記憶部に記憶した内容を表示する表示部を有する空気清浄機としたものであり、これにより所期の目的を達成するものである。
【発明の効果】
【０００８】
本発明によれば、本体に吹出口、吸込口を設け、前記本体内に、空気清浄部と送風部とを設けた空気清浄機において、室内の人の有無を判定する在室判定手段と、この在室判定手段が人の不在を判断した場合に前記送風部を所定時間運転させるそうじモードを有する制御部をさらに設け、前記制御部は、前記そうじモードによる運転結果を記憶する記憶部と、この記憶部に記憶した内容を表示する表示部を有する構成により、そうじモードによる運転結果をユーザに報知することで、そうじモードの効果を提示できる。
【図面の簡単な説明】
【０００９】
【図１】本発明の実施の形態１の空気清浄機の外観斜視図
【図２】同空気清浄機の断面構成図
【図３】同空気清浄機の前面化粧板スライド時の断面構成図
【図４】同空気清浄機のブロック図
【図５】室内空気の浮遊粉塵分布の概念図
【図６】同空気清浄機の制御動作を示すフローチャート
【発明を実施するための形態】
【００１０】
本発明の請求項１記載の空気清浄機は、本体に吹出口、吸込口を設け、前記本体内に、空気清浄部と送風部とを設けた空気清浄機において、室内の人の有無を判定する在室判定手段と、この在室判定手段が人の不在を判断した場合に前記送風部を所定時間運転させるそうじモードを有する制御部をさらに設け、前記制御部は、前記そうじモードによる運転結果を記憶する記憶部と、この記憶部に記憶した内容を表示する表示部を有するという構成を有する。これにより、そうじモードによる運転結果を表示することとなるので、そうじモードの運転による効果をユーザに提示できるという効果を奏する。
【００１１】
本発明の請求項２記載の空気清浄機は、前記記憶部には、前記そうじモードで運転した時間を記憶させ、前記表示部には、前記そうじモードで運転した時間を表示させる、という構成を有する。これにより、そうじモードで運転した時間を記憶させ、表示することとなるので、そうじモードで運転した時間をユーザに提示できるという効果を奏する。
【００１２】
本発明の請求項３記載の空気清浄機は、前記制御部には、室内の空気の汚れを検出する汚れ検出手段と、この汚れ検出手段からの検出信号をもとにそうじモード運転時に処理した汚れ除去量を算出する演算部とをさらに備え、前記表示部には前記演算部で算出された汚れ除去量を表示する、という構成を有する。これにより、そうじモード運転時に処理した汚れ除去量を算出し、表示することとなるので、そうじモードにて捕集した汚れ除去量をユーザに提示できるという効果を奏する。
【００１３】
本発明の請求項４記載の空気清浄機は、前記表示部は、前記在室判断手段が人の在室を検出したときに汚れ除去量を表示する、という構成を有する。これにより、人在室時のみ汚れ除去量を表示することとなるので、在室中のユーザに運転効果を提示できるという効果を奏する。
【００１４】
本発明の請求項５記載の空気清浄機は、前記表示部は、在室判断手段が人の在室を検出してから所定時間、汚れ除去量を表示する、という構成を有する。これにより、人の在室を確認してから人不在時の汚れ除去量を所定時間のみ表示することとなるので、ユーザがそうじモードの効果を確認できたと判断したときに効果表示を消すことで、いつの運転による運転効果なのかを明確にできる。という効果を奏する。
【００１５】
以下、本発明の実施の形態について図面を参照しながら説明する。
【００１６】
（実施の形態１）
図１の外観斜視図と図２の断面構成図に示すように、空気清浄機の本体１は略箱形に形成されている。本体１の前面には室内の空気を吸入する吸込口３を備え、さらに、この吸込口３を覆うようにして前面化粧板２が設けられている。本体１に吸い込まれる空気は、前面化粧板２の周囲、すなわち、本体１と前面化粧板２との間を通って吸込口３に吸い込まれることになる。また、図３に示すように、前面化粧板２は、前方斜め上にスライドする機構が設けられている。吸込口３は、前面化粧板２をスライドすることによって開口面積が変更できるようになっている。
【００１７】
また、本体１の上面には清浄化された空気を室内に吹出す吹出口５を設け、この吹出口５には仰角方向に吹出し方向を変更する吹出ルーバー４を備えている。また、本体１内には吸込口３から吸入した空気を清浄化する空気清浄部としてのフィルタ６と、吸込口３から吸入した空気をフィルタ６に通風し吹出口５から送出する送風部としてのファンモーター７と、このファンモーター７の運転を制御する制御部９を備えている。
また、室内の人の有無を判定できるように本体１の前面に在室判定手段としての人検知センサ８を設けている。この人検知センサ８は、例えば、赤外線を集光するフレネルレンズと高誘電セラミック等の焦電素子と人が動作する動作速度、例えば１〜１０Ｈｚの周波数帯域にゲインをもつフィルタから構成され、人から放射される赤外線エネルギーにより焦電素子の表面温度が変化し表面に電荷が発生する焦電効果を用い、人の動作を電圧信号として出力するものが用いられる。
本実施の形態の制御部９はそうじモードを備え、そうじモードは在室判定手段としての人検知センサ８が人の不在を判断した場合にファンモーター７を所定時間運転させる機能であり、無人の状態のときに空気清浄機の空気清浄運転を行うことで、床面へのホコリ堆積を低減することができる。
また、制御部９は表示制御部１６を有している。そして、図４に示すように、表示制御部１６は、汚れ検出手段１０と演算部１１と記憶部１２と表示部１３を備えている。汚れ検出手段１０は、運転中の室内の空気の汚れを検出し、演算部１１にその検出信号を伝達する。演算部１１は、汚れ検出手段１０からの検出信号をもとにそうじモード運転時に処理した汚れ除去量を算出する。記憶部１２は、そうじモードで運転した時間と、演算部１１で算出した汚れ除去量を記憶する。表示部１３は、記憶部１２で記憶されたそうじモードの運転時間と汚れ除去量を表示する。汚れ検出手段１０は、例えば発光素子と、受光素子と、レンズから構成され、発光素子からの照射光をホコリに照射し、ホコリからの反射光をレンズを通して受光素子で受光して、ホコリを検出するものが用いられる。表示部１３には、例えばＬＣＤやＬＥＤが用いられる。
上記構成において、表示制御部１６がそうじモード中の運転結果を表示部１３に表示する動作について図５に示すフローチャートを用いて説明する。
表示制御部１６がＳＴＥＰ１にてそうじモードと判定すると、ＳＴＥＰ２に移行する。ＳＴＥＰ１にてそうじモードでないと判定すると、ＳＴＥＰ４に移行する。
ＳＴＥＰ２では演算部１１にて汚れ検出手段１０からの信号をもとに汚れ検出量を演算し、記憶部１２へ記憶する。またこのとき、記憶部１２へはそうじモードの運転時間も記憶する。本実施の形態では、ＳＴＥＰ２の汚れ検出量演算処理では、汚れ検出手段１０が検出したホコリの検知レベルを５段階に分類したものを汚れ検出量とし、汚れ検出量のレベルごとにサンプリング時の加算値を持たせ、１分毎のサンプリング周期でサンプリングした加算値を、そうじモード終了まで積算する処理を行う。なお、サンプリング周期は汚れ検出手段１０の特性に合わせて決定すると良い。ＳＴＥＰ２の演算処理終了後、ＳＴＥＰ３へ移行する。
ＳＴＥＰ３ではそうじモード中であれば、再度ＳＴＥＰ２に戻り汚れ検出量の演算を行う。ＳＴＥＰ３にてそうじモードないと判定すると、表示部１３での結果表示時間を設定してＳＴＥＰ４へ移行する。この結果表示時間は、そうじモード終了後に、そうじモードの運転時間と汚れ除去量を表示する時間であり、人がそうじモードの結果を視認したと判断できる時間とすることが望ましい。例えば人検知センサがそうじモード終了を判定した場合、ユーザはそうじモード終了に気づかない可能性があるため、ＳＷ操作でそうじモードを終了した場合よりも長い時間に設定すると良い。
ＳＴＥＰ４で、結果表示時間がタイムアップしていなければ、ＳＴＥＰ５へ移行し、結果表示時間がタイムアップしていれば、ＳＴＥＰ６へ移行する。ＳＴＥＰ６では、表示部１３での表示処理を中止した後、ＳＴＥＰ１へ移行し、上記のステップを繰り返す。
ＳＴＥＰ５では、表示部１３にて記憶部１２に記憶した汚れ検出量、そうじモードでの運転時間を表示し、ＳＴＥＰ１へ移行し、上記ステップを繰り返す。本実施の形態では表示
部１３は、図６に示すように、ＳＴＥＰ２で演算した汚れ検出量を汚れ表示手段１４にて３段階で表示し、記憶部１２で記憶されたそうじモードの運転時間を運転時間表示手段１５にて３段階で表示する。なお、汚れ検出量や運転時間の表示段階は、効果検証の実データに基づいて決定するのが望ましい。
このように視覚的にそうじモードの効果や運転時間を表示することで、長時間運転しても汚れ検出量が少なければ部屋がきれいな状態であることが分かり、追加で部屋を掃除をする必要がないと判断することができ、短時間の運転で汚れ検出量が多ければ部屋が汚れていると分かり、追加で部屋を掃除する必要があると判断することができるようになる。
【産業上の利用可能性】
【００１８】
本発明にかかる空気清浄機は、そうじモードの運転結果をユーザに提示できるものであり、家庭用や事務所用などの加湿機能付空気清浄機にも適用できる。
【符号の説明】
【００１９】
１  本体
２  前面化粧板
３  吸込口
４  吹出ルーバー
５  吹出口
６  フィルタ（空気清浄部）
７  ファンモーター（送風部）
８  人検知センサ（在室判定手段）
９  制御部
１０  汚れ検出手段
１１  演算部
１２  記憶部
１３  表示部
１４  汚れ表示手段
１５  運転時間表示手段
１６  表示制御部
【図１】
2015025572.tif 000003
【図２】
2015025572.tif 000004
【図３】
2015025572.tif 000005
【図４】
2015025572.tif 000006
【図５】
2015025572.tif 000007
【図６】
2015025572.tif 000008